(57)【特許請求の範囲】
【請求項１】
プロセッサと、
ディスプレイと、
前記プロセッサが、ホストとの間の通信を実現する手段と、
前記プロセッサが、廃棄処理用のフォーマットに基づいて標準の価格を表示する定価表示欄と現在設定されている価格を表示する売価表示欄と現在までの廃棄個数を表示する欄とを有する廃棄処理画面を前記ディスプレイに表示する手段と、
前記プロセッサが、廃棄処理する商品の商品コードを特定して前記ホストへ当該商品コードの商品の定価と現在設定されている売価と現在までの廃棄個数とを含む商品データの送付を問い合せる手段と、
前記プロセッサが、当該問い合わせにより得た商品データのうち定価と現在設定されている売価と現在までの廃棄個数とをそれぞれ前記廃棄処理画面中の前記定価表示欄と前記売価表示欄と前記廃棄個数を表示する欄とに表示する手段と、
前記プロセッサが、前記定価表示欄に表示された価格又は前記売価表示欄に表示された価格のいずれかの選択を可能とする価格選択手段と、
前記プロセッサが、前記廃棄個数を表示する欄に表示された数値を更新可能とする手段と、
前記プロセッサが、変更後の前記廃棄処理画面に表示されている前記選択された前記定価表示欄又は前記売価表示欄に表示された価格と前記更新された前記廃棄個数を表示する欄に表示された数値とからなる売れ残り商品の情報を前記ホストへ通知する廃棄処理を実行する手段と、
を備えることを特徴とするラベルプリンタ。
【請求項２】
前記プロセッサが、標準の価格を表示する定価表示欄と現在設定されている価格を表示する売価表示欄とを有するラベル発行用の画面を前記ディスプレイに表示する手段と、
前記プロセッサが、当該ラベル発行用の画面に表示される商品データをラベル用紙に印字して発行するラベル発行処理を実行する手段と、
を備えることを特徴とする請求項１記載のラベルプリンタ。
【請求項３】
前記ディスプレイの表面にタッチパネルが設けられ、前記価格選択手段は、前記廃棄処理用のフォーマットに基づいて表示されている前記定価表示欄又は前記売価表示欄に表示された価格のうち前記タッチパネルにより選択された方の価格を選択することを特徴とする請求項１又は２記載のラベルプリンタ。
【発明の詳細な説明】
【０００１】
【発明の属する技術分野】
本発明は、売れ残り商品の各種情報をホストへ通知する廃棄処理にも用いられるラベルプリンタに関する。
【０００２】
【従来の技術】
従来用いられているラベルプリンタには、ホストへの問い合わせにより商品データを得て、ホストから得られた商品データやラベルプリンタで入力したデータをラベル用紙に印字して発行するものがある。
【０００３】
また、このようなラベルプリンタには、ラベル用紙に印字して発行するだけでなく、売れ残った商品の廃棄処理にも用いられるものがある。廃棄処理は、売れ残って廃棄された商品の価格や個数などの各種情報を記憶保持する処理である。
【０００４】
商品の価格としては、標準の価格として定価が設定されているが、例えば消費期限が近くなってきたときなど、定価から値引きして、現在の価格として売価を設定することがある。
【０００５】
ラベル用紙の印字・発行にあたっては、ラベル用紙に印字する金額として定価又は売価を選択し、キーボードが備える置数キーで手入力している。
【０００６】
廃棄処理では、ラベルプリンタに備えられたディスプレイに商品の価格を表示しない機種もあり、定価と売価とのどちらの価格に基づいて廃棄処理を行うのかを設定することはしていない。
【０００７】
【発明が解決しようとする課題】
廃棄処理される商品には、定価で販売されていたまま売れ残って廃棄されるものや、定価から値引きされた売価で販売されていたが売れ残って廃棄されるものがある。
【０００８】
このため、ホストに蓄積される情報として、廃棄された商品が、値引きせずに定価で販売していたのか値引きして売価で販売していたのかを区別するのが望ましいという要望がある。
【０００９】
また、ラベル用紙の印字・発行の際の価格設定でも、定価及び売価が予めホストで設定されていても、それらのいずれかを選択すればよいというのでなく、印字する金額を変更する際には、その都度、キーボードが備える置数キーなどによって金額を書き替えなければならず、煩雑であった。
【００１０】
本発明は、廃棄処理にあたって価格の情報を添付することを目的とする。
【００１１】
また本発明は、廃棄処理を定価又は売価のどちらに基づいて行うのかの切り替えを容易にすることを目的とする。
【００１２】
さらに本発明は、ラベル用紙に定価又は売価のどちらを印字するのかの切り替えを容易にすることを目的とする。
【００１３】
【課題を解決するための手段】
請求項１記載の発明のラベルプリンタは、プロセッサと、ディスプレイと、前記プロセッサが、ホストとの間の通信を実現する手段と、前記プロセッサが、廃棄処理用のフォーマットに基づいて標準の価格を表示する定価表示欄と現在設定されている価格を表示する売価表示欄と現在までの廃棄個数を表示する欄とを有する廃棄処理画面を前記ディスプレイに表示する手段と、前記プロセッサが、廃棄処理する商品の商品コードを特定して前記ホストへ当該商品コードの商品の定価と現在設定されている売価と現在までの廃棄個数とを含む商品データの送付を問い合せる手段と、前記プロセッサが、当該問い合わせにより得た商品データのうち定価と現在設定されている売価と現在までの廃棄個数とをそれぞれ前記廃棄処理画面中の前記定価表示欄と前記売価表示欄と前記廃棄個数を表示する欄とに表示する手段と、前記プロセッサが、前記定価表示欄に表示された価格又は前記売価表示欄に表示された価格のいずれかの選択を可能とする価格選択手段と、前記プロセッサが、前記廃棄個数を表示する欄に表示された数値を更新可能とする手段と、前記プロセッサが、変更後の前記廃棄処理画面に表示されている前記選択された前記定価表示欄又は前記売価表示欄に表示された価格と前記更新された前記廃棄個数を表示する欄に表示された数値とからなる売れ残り商品の情報を前記ホストへ通知する廃棄処理を実行する手段と、を備える。
【００１４】
したがって、廃棄処理される商品の情報を蓄積するにあたって、同じ商品でも販売価格が違う場合の区別ができる。
【００１７】
請求項２記載の発明のラベルプリンタは、請求項１記載の発明において、前記プロセッサが、標準の価格を表示する定価表示欄と現在設定されている価格を表示する売価表示欄とを有するラベル発行用の画面を前記ディスプレイに表示する手段と、前記プロセッサが、当該ラベル発行用の画面に表示される商品データをラベル用紙に印字して発行するラベル発行処理を実行する手段と、を備える。
【００１８】
したがって、廃棄処理とラベル発行とのそれぞれで価格の設定ができ、それぞれの設定は互いに干渉しない。
【００１９】
請求項３記載の発明は、請求項１又は２記載のラベルプリンタであって、前記ディスプレイの表面にタッチパネルが設けられ、前記価格選択手段は、前記廃棄処理用のフォーマットに基づいて表示されている前記定価表示欄又は前記売価表示欄に表示された価格のうち前記タッチパネルにより選択された方の価格を選択し、前記価格選択手段により選択された価格に基づいて前記廃棄処理又は前記ラベル発行処理が行われる。
【００２０】
したがって、定価表示欄に表示されている価格と売価表示欄に表示されている価格とのどちらを選択するかの切り替えを容易に行える。
【００２１】
【発明の実施の形態】
本発明のラベルプリンタの実施の一形態について、図１〜図５に基づいて説明する。まず、図１は、本実施の形態のラベルプリンタが備える各部の電気的接続を示すブロック図である。
【００２２】
本発明のラベルプリンタは、各種の演算処理を実行し各部を集中的に制御するＣＰＵ１を備え、ＣＰＵ１は、ＲＯＭ２及びＲＡＭ３がシステムバス４を介してバス接続されている。
【００２３】
ＲＯＭ２は、プリンタの動作プログラムを格納した媒体であり、この動作プログラムに従って、ＣＰＵ１が各部を制御する。
【００２４】
ＲＡＭ３は、各種の可変情報を一時的に格納する。また、ＲＡＭ３の一部領域は印字バッファとして利用されたり、各種のカウンタ領域として利用されたりする。
【００２５】
ＣＰＵ１にはまた、ホストと通信するための通信ドライバ５や、ラベル用紙に印字するサーマルヘッド６、ラベル用紙を搬送するパルスモータ７、ラベル用紙の位置を検出する透過型又は反射型のラベルセンサ８、ホストへの問い合わせで得た商品データなどを表示するディスプレイ９、置数キーを有し操作者による手入力に用いられるキーボード１０等が、接続されている。
【００２６】
図２及び図３に、ディスプレイ９の表示例を示す。図２は、ラベル発行用のフォーマットに従って商品データが表示された状態のディスプレイ９、図３は、廃棄処理用のフォーマットに従って商品データが表示された状態のディスプレイ９である。ディスプレイ９の表面には、タッチパネル１１が備えられている。
【００２７】
図２のラベル発行用のフォーマット及び図３の廃棄処理用のフォーマットは、共に、標準の価格として設定された定価を表示する定価表示欄ａと、定価から値引きされて現在設定されている価格である売価を表示する売価表示欄ｂとを有している。
【００２８】
図２では、売価表示欄ｂが枠線ｃで囲まれており、この状態は、ラベル用紙に印字する価格として、売価が選択されていることを示している。ここで、定価表示欄ａが枠線ｃで囲まれていれば、ラベル用紙に印字する価格として、定価が選択されていることになる。また、二重枠線ｄは、キーボード１０による入力が可能な欄を示すカーソルであって、図２の状態で言えば、価格を４８０円としたラベルを何枚印字するかの設定に際して、キーボード１０の置数キーにより、５枚と入力したところである。
【００２９】
図３では、定価表示欄ａが枠線ｃで囲まれており、この状態は、この商品の廃棄処理でホストに通知する情報として定価が選択されていることを示している。ここで、売価表示欄ｂが枠線ｃで囲まれていれば、廃棄処理でホストに通知する情報として、売価が選択されていることになる。
【００３０】
ここで、ホストでは、定価表示欄ａに枠線ｃが位置していてこの商品の情報として定価がホストに通知される廃棄処理と、売価表示欄ｂに枠線ｃが位置していてこの商品の情報として売価がホストに通知される廃棄処理とを区別して保存している。
【００３１】
また、二重枠線ｄは、現在入力される位置を示すカーソルであって、図３の状態で言えば、キーボード１０の置数キーにより、価格を５３０円とする商品の廃棄個数を３個と入力したところであり、それらの価格の合計１，５９０円が算出されている。
【００３２】
二重枠線ｄは、操作者がタッチパネル１１の入力しようとする欄にあたる位置にタッチすることによりその欄へ移動する。
【００３３】
ここで、本実施の形態のラベルプリンタでは、定価表示欄ａに表示される定価は、ホストで設定された価格に固定されており、操作者による定価変更の入力が認められていないので、二重枠線ｄが定価表示欄ａに位置することはない。操作者が定価表示欄ａにタッチした場合には、定価表示欄ａは枠線ｃで囲まれ、二重枠線ｄは元の位置から移動しない。
【００３４】
また、本実施の形態のラベルプリンタでは、売価表示欄ｂに表示される売価を各販売店で変更可能としている。したがって、操作者が売価表示欄ｂにタッチした場合には、売価表示欄ｂが枠線ｃで囲まれた状態になると同時に、二重枠線ｄが売価表示欄ｂに移動する。
【００３５】
但し、実施にあたっては、売価表示欄ｂに表示される売価も、ホストでのみ設定されるものとし、操作者による売価変更の入力を認めないようにしてもよい。この場合には、操作者が売価表示欄ｂにタッチすると、売価表示欄ｂが枠線ｃで囲まれるだけで、二重枠線ｄは元の位置から移動しない。
【００３６】
また、実施にあたっては、売価表示欄ｂの表示価格の変更の可能・不可能を商品毎に区別していてもよい。
【００３７】
図４に示すフローチャートに従い、ＲＯＭ２に格納されたプログラムに従って実行されるラベル金額の設定の流れについて説明する。
【００３８】
まず、タッチパネル１１に操作者がタッチしたことを検出すると（ステップＳ１のＹ）、タッチされた位置を確認する（ステップＳ２）。操作者によりタッチされた位置が価格を表示する欄であった場合（ステップＳ３）、売価表示欄ｂであるか定価表示欄ａであるかを判別し（ステップＳ４）、売価表示欄ｂであった場合には、ラベル金額を売価表示欄ｂに表示された現在価格にセットする（ステップＳ５）。また、定価表示欄ａであった場合には、ラベル金額を定価表示欄ａに表示された標準価格にセットする（ステップＳ６）。
【００３９】
ここで、ステップＳ３〜ステップＳ６を実行する手段は、価格設定手段にあたる。
【００４０】
このラベル金額の設定を済ませた後、キーボード１０が備えるラベル発行キーが押下されることによって、サーマルヘッド６によりラベル用紙に価格などの各種商品データが印字されて、発行される。
【００４１】
また、ステップＳ３で、操作者によりタッチされた位置が価格を表示する欄ではないと判別した場合には、他の処理へ移行する（ステップＳ７）。
【００４２】
次に、図５に示すフローチャートに従い、ＲＯＭ２に格納されたプログラムに従って実行される廃棄処理額の設定の流れについて説明する。
【００４３】
まず、タッチパネル１１に操作者がタッチしたことを検出すると（ステップＳ１１のＹ）、タッチされた位置を確認する（ステップＳ１２）。操作者によりタッチされた位置が価格を表示する欄であった場合（ステップＳ１３）、売価表示欄ｂであるか定価表示欄ａであるかを判別し（ステップＳ１４）、売価表示欄ｂであった場合には、廃棄処理額を売価表示欄ｂに表示された現在価格に個数をかけた金額にセットする（ステップＳ１５）。また、定価表示欄ａであった場合には、廃棄処理額を定価表示欄ａに表示された標準価格に個数をかけた金額にセットする（ステップＳ１６）。
【００４４】
ここで、ステップＳ１３〜ステップＳ１６を実行する手段は、価格設定手段にあたる。
【００４５】
また、ステップＳ１３で、操作者によりタッチされた位置が価格を表示する欄ではないと判別した場合には、他の処理へ移行する（ステップＳ１７）。
【００４６】
このような構成において、廃棄処理に際しては、例えば、定価で販売していて売れ残った商品や販売前に床に落としてしまった商品について廃棄処理する場合には、まず、ディスプレイ９に図３の廃棄処理画面を呼び出す。次に、商品に貼付されているバーコードをスキャナで読み取ると、日付と、その商品のＪＡＮコード及び自社コードが先に表示される。次いで、その商品のデータがホストへ通信ドライバ５を介して問い合わせられ、得られた商品データが表示される。すなわち、商品名、現在設定されている売価、定価、部門コード、現在までの廃棄個数、それらの合計金額が表示される。ここで、部門コードは、例えば、肉、魚、青果、などというように分類される商品の種類別に設定されているコードである。
【００４７】
このとき、枠線ｃが売価表示欄ｂを囲んでいたら、定価表示欄ａにタッチして、定価表示欄ａに枠線ｃを移動させる。
【００４８】
そして、現在までの廃棄個数が表示されている欄にタッチして二重枠線ｄをその欄へ移動させ、キーボード１０の置数キーで個数を修正する。これにより、ホストに保存されるこの商品の定価に基づいた廃棄処理内容が更新される。
【００４９】
次に、売価で販売していて売れ残った商品について廃棄処理する場合には、ディスプレイ９に図３の廃棄処理画面を呼び出し、商品に貼付されているバーコードをスキャナで読み取り、商品データが表示されるのを待つ。
【００５０】
そして、枠線ｃが定価表示欄ａを囲んでいたら、売価表示欄ｂにタッチして、枠線ｃ及び二重枠線ｄを移動させる。
【００５１】
このとき、売価の修正が必要であれば、キーボード１０の置数キーで売価を修正し、次いで、現在までの廃棄個数が表示されている欄にタッチして二重枠線ｄをその欄へ移動させ、キーボード１０の置数キーで個数を修正する。これにより、ホストに保存されるこの商品のこの売価に基づいた廃棄処理内容が更新される。
【００５２】
なお、一つの商品について売価が複数ある場合には、各売価についての廃棄処理内容がホストに保存される。
【００５３】
【発明の効果】
請求項１記載の発明では、廃棄処理に際して定価表示欄に表示された価格又は売価表示欄に表示された価格のいずれかを選択するようにしたので、廃棄処理される商品の情報を蓄積するにあたって、同じ商品でも販売価格が違う場合の区別ができ、このため、廃棄処理された商品についてより詳細な情報を蓄積できる。
【００５５】
請求項２記載の発明では、廃棄処理及びラベル発行処理に際して定価表示欄に表示された価格又は売価表示欄に表示された価格のいずれかを廃棄処理及びラベル発行処理のそれぞれにおいて別々に選択するようにしたので、廃棄処理とラベル発行とで互いに干渉せずに価格の設定ができ、廃棄処理でホストに通知される商品情報を詳しくできるとともに、ラベル発行時の金額設定を容易にできる。
【００５６】
請求項３記載の発明では、請求項１又は２記載の発明において、ディスプレイの表面にタッチパネルが設けられ、価格選択手段は、廃棄処理用のフォーマットに基づいてタッチパネルにより選択された方の価格を選択するので、定価表示欄に表示されている価格と売価表示欄に表示されている価格とのどちらを選択するかの切り替えを容易に行うことができる。
【図面の簡単な説明】
【図１】本発明のラベルプリンタの実施の一形態が備える各部の電気的接続を示すブロック図である。
【図２】ラベル発行用のフォーマットに従って商品データが表示された状態のディスプレイの一例を示す平面図である。
【図３】廃棄処理用のフォーマットに従って商品データが表示された状態のディスプレイの一例を示す平面図である。
【図４】ラベル金額の設定の流れを示すフローチャートである。
【図５】廃棄処理額の設定の流れを示すフローチャートである。
【符号の説明】
９      ディスプレイ
１１      タッチパネル
ａ      定価表示欄
ｂ      売価表示欄
Ｓ３〜Ｓ６、Ｓ１３〜Ｓ１６  価格選択手段
【図１】
0003973125.tif 000002
【図２】
0003973125.tif 000003
【図３】
0003973125.tif 000004
【図４】
0003973125.tif 000005
【図５】
0003973125.tif 000006